【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】
複数のワイヤレス加入者中の少なくとも１つの信用上の制限のあるワイヤレス加入者へ通信サービスを提供するための無線通信ネットワークであって、ネットワークは少なくとも１つのホーム移動通信交換局を含み、ホーム移動通信交換局はホームロケーションレジスタを含み、ネットワークは少なくとも１つのサービス移動通信交換局を含み、サービス移動通信交換局はビジターロケーションレジスタを含み、ネットワークは、
通信通話を交換するための交換手段と、
通信通話を行い、それを受信するための移動局手段と、
ホーム移動通信交換局と結合され、さらにサービス移動通信交換局と結合され、ナショナルロケーションレジスタを提供するためのレジスタ手段とを具備し、
前記レジスタ手段は、ビジターロケーションレジスタとしてホーム移動通信交換局と通信し、ホームロケーションレジスタとしてサービス移動通信交換局と通信し、
前記レジスタ手段は、ホーム移動通信交換局から、およびサービス移動通信交換局からメッセージを受信するように構成され、
前記レジスタ手段はさらに、メッセージに関するローミング情報をローミングサーバへ送信するように構成されており、ローミングサーバはローミング情報に基づいて、リアルタイムでの通話制御及び信用上の制限のある口座課金を行うように構成されているネットワーク。
【請求項２】
前記レジスタ手段はさらに、
サービス移動通信交換局から少なくとも１つの登録通知メッセージを受信し、この登録通知メッセージを変更するメッセージ処理手段を具備しており、それによってホーム移動通信交換局に関してはビジターロケーションレジスタとして、サービス移動通信交換局に関してはホームロケーションレジスタとして、レジスタ手段を識別する請求項１記載のネットワーク。
【請求項３】
前記レジスタ手段はさらに、
サービス移動通信交換局へ着信を制限するメッセージを送信するためのメッセージ処理手段を具備し、それによって通話着信はサービス移動通信交換局において制限される請求項１記載のネットワーク。
【請求項４】
前記レジスタ手段はさらに、
発呼生成リモートサービスユニットを通って発呼の経路を設定するために、ローミング通話に対して特有の電話番号を割り当てるための番号セレクタ手段を具備している請求項１記載のネットワーク。
【請求項５】
前記レジスタ手段は、サービス移動通信交換局から一時的ロケーションディレクトリ番号を要求して、入来する通話がホーム移動通信交換局からサービス移動通信交換局へ導かれるように構成されている請求項１記載のネットワーク。
【請求項６】
複数のワイヤレス加入者中の少なくとも１つの信用上の制限のあるワイヤレス加入者へ通信サービスを提供するための無線通信ネットワークであって、ネットワークは少なくとも１つのホーム移動通信交換局を含み、ホーム移動通信交換局はホームロケーションレジスタを含み、ネットワークは少なくとも１つのサービス移動通信交換局を含み、サービス移動通信交換局はビジターロケーションレジスタを含み、ネットワークは、
通信通話を交換することができる通信スイッチと、
通信通話を行い、それを受信することができる移動体電話機と、
ホーム移動通信交換局と結合され、さらにサービス移動通信交換局と結合されている少なくとも１つのナショナルロケーションレジスタとを具備し、
前記ナショナルロケーションレジスタは、ビジターロケーションレジスタとしてホーム移動通信交換局と通信し、ホームロケーションレジスタとしてサービス移動通信交換局と通信し、
前記ナショナルロケーションレジスタは、ホーム移動通信交換局から、およびサービス移動通信交換局からメッセージを受信し、
前記ナショナルロケーションレジスタは、メッセージに関するローミング情報をローミングサーバへ送信し、ローミングサーバはローミング情報に基づいて、リアルタイムでの通話制御及び信用上の制限のある口座課金を行うネットワーク。
【請求項７】
前記ナショナルロケーションレジスタはさらに、
サービス移動通信交換局から少なくとも１つの登録通知メッセージを受信し、ホーム移動通信交換局に関してはビジターロケーションレジスタとして、サービス移動通信交換局に関してはホームロケーションレジスタとして、ナショナルロケーションレジスタを識別するようにこの登録通知メッセージを適合する少なくとも１つのメッセージプロセッサを具備している請求項６記載のネットワーク。
【請求項８】
前記ナショナルロケーションレジスタはさらに、
サービス移動通信交換局へ着信を制限するメッセージを送信し、それによって通話着信はサービス移動通信交換局において制限されるように構成されている少なくとも１つのメッセージプロセッサを具備している請求項６記載のネットワーク。
【請求項９】
前記ナショナルロケーションレジスタはさらに、
発呼発生リモートサービスユニットを通っての発呼の経路設定のために、ローミング通話に対して特有の電話番号を与えるための情報を含んでいるデータベースを具備している請求項６記載のネットワーク。
【請求項１０】
前記ナショナルロケーションレジスタは、サービス移動通信交換局から一時的ロケーションディレクトリ番号を要求して、入来する通話がホーム移動通信交換局からサービス移動通信交換局へ導かれるように構成されている請求項６記載のネットワーク。
【請求項１１】
入来するローミング通話をホーム移動通信交換局で受信し、
ローミング加入者に関連される口座残高がローミング通話を受信するのに十分であることを確認し、
ローミング通話をローミング加入者へ転送し、
口座残高を最大通話継続時間へ変換し、
ローミング通話を監視しながら、通話継続時間を生成するためにローミング通話を計時し、通話継続時間が最大通話継続時間を超過したならば、ローミング通話を遮断し、ローミング通話の遮断後、通話継続時間に基づいて口座残高を減少させるステップを含み、
前記ローミング通話をローミング加入者へ転送するステップは、
ローミング加入者に関する一時的なローカルダイヤルされた番号をローミングサーバから受信し、
一時的なローカルダイヤルされた番号を使用して、ローミング通話をホーム移動通信交換局からサービス移動通信交換局へ延ばし、
延ばされたローミング通話をサービス移動通信交換局で受信し、
ローミング通話をサービス移動通信交換局からローミング加入者へ導くステップを含んでいる無線通信ネットワークローミング方法。
【請求項１２】
前記通話継続時間に基づく口座残高の減少ステップは、
通話継続時間を通話料金に変換し、
口座残高から通話料金を差し引くステップを含んでいる請求項１１記載の方法。
【請求項１３】
着信者と移動識別番号とを含んでいるローミング通話発呼要求をサービス移動通信交換局で受信し、
ローミング加入者に関連される口座残高がローミング通話を行うのに十分であることを確認し、
ローミング通話を行い、
口座残高を最大通話継続時間へ変換し、
ローミング通話を監視しながら、通話継続時間を生成するためにローミング通話を計時し、通話継続時間が最大通話継続時間を超過したならば、ローミング通話を遮断し、ローミング通話の遮断後、通話継続時間に基づいて口座残高を減少させるステップを含み、
前記ローミング通話を行うステップは、
発呼に関連されるダイヤルされた番号をローミングサーバから受信し、
ダイヤルされた番号を使用して、ローミング通話を発呼スイッチへ延ばし、
発呼スイッチにおいて、ローミング通話を着信者に設定するステップを含んでいる無線通信ネットワークローミング方法。
【請求項１４】
ホームロケーションレジスタを有するホーム移動通信交換局に結合され、通話継続時間が最大通話継続時間を超過したならば、ローミング通話を遮断するように構成されている課金スイッチと、
ビジターロケーションレジスタを有するサービス移動通信交換局に結合され、通話継続時間が最大通話継続時間を超過したならば、ローミング通話を遮断するように構成されている発呼スイッチと、
ホームロケーションレジスタとビジターロケーションレジスタに結合されているナショナルロケーションレジスタと、
課金スイッチと、発呼スイッチと、ナショナルロケーションレジスタとに結合されているローミングサーバとを具備し、
前記ナショナルロケーションレジスタは、
ホームロケーションレジスタとビジターロケーションレジスタとの間で交換されるメッセージをインターセプトし、
加入者ロケーション情報をホームロケーションレジスタへ提供し、
加入者プロファイル情報をビジターロケーションレジスタへ提供するように適応的に構成され、
前記ローミングサーバは、
ローミング加入者に関する一時的なローカルダイヤルされた番号を課金スイッチへ提供し、
発呼スイッチに関するダイヤルされた番号をサービス移動通信交換局へ提供し、
ローミング通話に関連される着信者番号と、ローミング加入者に関連される移動識別番号とを発呼スイッチへ提供するように適応的に構成されている無線通信システム。
【請求項１５】
課金スイッチはマーケットサーバに結合されている請求項１４記載のシステム。
【請求項１６】
ナショナルロケーションレジスタは第１のＳＳ７リンクを介してビジターロケーションレジスタに結合され、
ナショナルロケーションレジスタは第２のＳＳ７リンクを介してホームロケーションレジスタに結合されている請求項１４記載のシステム。
【請求項１７】
前記インターセプトされたメッセージは、第１のＳＳ７リンクでビジターロケーションレジスタから送信された加入者ロケーションメッセージを含んでいる請求項１６記載のシステム。
【請求項１８】
前記インターセプトされたメッセージは、第２のＳＳ７リンクでホームロケーションレジスタから送信された加入者プロファイル情報を含んでいる請求項１６記載のシステム。
【請求項１９】
加入者ロケーション情報は移動通信交換局識別を含んでいる請求項１４記載のシステム。
【請求項２０】
加入者ロケーション情報はロケーション領域識別を含んでいる請求項１４記載のシステム。
【請求項２１】
加入者プロファイル情報はローミング認証を含んでいる請求項１４記載のシステム。
【請求項２２】
加入者プロファイル情報はローミングコスト情報を含んでいる請求項１４記載のシステム。
【請求項２３】
前記通話継続時間に基づいて口座残高を減少するステップは、通話継続時間を通話料金に変換し、
口座残高から通話料金を差し引くステップを含んでいる請求項１３記載の方法。